(57)【要約】【課題】作成されるラベルの属性に応じて印刷品位を自動的に設定可能なテープ印刷装置を提供する。【解決手段】入力した印刷データに基づいて、印刷テープＴに印刷を行ってラベルを作成するテープ印刷装置１において、ラベルの属性を複数の選択肢の中から選択するための属性選択手段と、選択した属性情報に基づいて、複数種の印刷品位から１の印刷品位を選択設定する品位設定手段７３と、を備えたことを特徴とする。【選択図】図４
2008272951.tif 000002
【特許請求の範囲】
【請求項１】
入力した印刷データに基づいて、印刷テープに印刷を行ってラベルを作成するテープ印刷装置において、
前記ラベルの属性を複数の選択肢の中から選択するための属性選択手段と、
選択した属性情報に基づいて、複数種の印刷品位から１の印刷品位を選択設定する品位設定手段と、を備えたことを特徴とするテープ印刷装置。
【請求項２】
前記ラベルの属性が、前記ラベルの用途であることを特徴とする請求項１に記載のテープ印刷装置。
【請求項３】
前記ラベルの属性が、前記ラベルの印刷フォームであることを特徴とする請求項１に記載のテープ印刷装置。
【請求項４】
前記ラベルの属性が、前記印刷テープの種別であることを特徴とする請求項１に記載のテープ印刷装置。
【請求項５】
入力した印刷データに基づいて、印刷テープに印刷を行ってラベルを作成するテープ印刷装置において、
印刷テープの種別を検出する種別検出手段と、
検出した種別情報に基づいて、複数種の印刷品位から１の印刷品位を選択設定する品位設定手段と、を備えたことを特徴とするテープ印刷装置。
【請求項６】
前記ラベルにおける、前記印刷データのレイアウトを設定するためのレイアウト設定手段と、
設定した前記レイアウトおよび前記品位設定手段により設定された前記印刷品位に基づいて、前記印刷データの複数種の展開方法から１の展開方法を選択設定する展開方法設定手段と、を更に備えたことを特徴とする請求項１ないし５のいずれかに記載のテープ印刷装置。
【請求項７】
前記品位設定手段は、自動設定と手動設定との間で切替え可能に構成されていることを特徴とする請求項１ないし６のいずれかに記載のテープ印刷装置。
【請求項８】
入力した印刷データに基づいて、印刷テープに印刷を行ってラベルを作成するテープ印刷装置の制御方法において、
前記ラベルの属性を複数の選択肢の中から選択するための属性選択工程と、
選択した属性情報に基づいて、複数種の印刷品位から１の印刷品位を選択設定する品位設定工程と、を備えたことを特徴とするテープ印刷装置の制御方法。
【請求項９】
入力した印刷データに基づいて、印刷テープに印刷を行ってラベルを作成するテープ印刷装置の制御方法において、
印刷テープの種別を検出する種別検出工程と、
検出した種別情報に基づいて、複数種の印刷品位から１の印刷品位を設定する品位設定工程と、を備えたことを特徴とするテープ印刷装置の制御方法。
【請求項１０】
前記ラベルにおける、前記印刷データのレイアウトを設定するためのレイアウト設定工程と、
設定した前記レイアウトおよび前記品位設定工程により設定された前記印刷品位に基づいて、前記印刷データの複数種の展開方法から１の展開方法を選択設定する展開方法設定工程と、を更に備えたことを特徴とする請求項８または９に記載のテープ印刷装置の制御方法。
【発明の詳細な説明】
【技術分野】
【０００１】
本発明は、入力した印刷データに基づいて、印刷テープに印刷を行ってラベルを作成するテープ印刷装置およびテープ印刷装置の制御方法に関するものである。
【背景技術】
【０００２】
従来、この種のテープ印刷装置として、各種情報を表示する表示部と、表示部の表示に基づいて印刷データの入力や各種設定の変更等を行う操作部と、操作部により作成された印刷データに基づいて印刷テープへの印刷を行う印刷部と、を備えたものが知られている（特許文献１参照）。
【特許文献１】特開２００４−２１６７３６号公報
【発明の開示】
【発明が解決しようとする課題】
【０００３】
ところで、このようなテープ印刷装置に、操作部の操作による印刷文字の品位設定（精細さの設定）機能を持たせることは可能である。しかしながら、この印刷品位の設定は、その用途や印刷テープの種別等に応じて、ユーザが自ら設定（設定変更）する必要があるため、操作が煩雑でユーザの負担が大きく、例えかかる機能を有していても、使用頻度が極端に少なくなることが想定される。
【０００４】
本発明は、作成されるラベルの属性に応じて印刷品位を自動的に設定可能なテープ印刷装置およびテープ印刷装置の制御方法を提供することを課題としている。
【課題を解決するための手段】
【０００５】
本発明のテープ印刷装置は、入力した印刷データに基づいて、印刷テープに印刷を行ってラベルを作成するテープ印刷装置において、ラベルの属性を複数の選択肢の中から選択するための属性選択手段と、選択した属性情報に基づいて、複数種の印刷品位から１の印刷品位を選択設定する品位設定手段と、を備えたことを特徴とする。
【０００６】
本発明のテープ印刷装置の制御方法は、入力した印刷データに基づいて、印刷テープに印刷を行ってラベルを作成するテープ印刷装置の制御方法において、ラベルの属性を複数の選択肢の中から選択するための属性選択工程と、選択した属性情報に基づいて、複数種の印刷品位から１の印刷品位を選択設定する品位設定工程と、を備えたことを特徴とする。
【０００７】
これらの構成によれば、属性選択手段（属性選択工程）にて選択した属性に基づいて、品位設定手段（品位設定工程）にて印刷品位が自動的に選択設定されることにより、ユーザが自ら印刷品位の設定を行う必要がなく、テープ印刷装置の操作性を向上することができるため、ユーザの負担を軽減することができる。
【０００８】
上記のテープ印刷装置において、上記のラベルの属性が、ラベルの用途であることが好ましい。
【０００９】
この構成によれば、ラベルの用途が、上記のラベルの属性として属性選択手段により選択され、選択された用途に基づいて、品位設定手段により印刷品位が設定される。これにより、ラベルの使用用途に基づいて印刷品位が自動的に設定されるため、テープ印刷装置の操作性を更に向上することができる。
【００１０】
上記のテープ印刷装置において、上記のラベルの属性が、ラベルの印刷フォームであることが好ましい。
【００１１】
この構成によれば、ラベルの印刷フォームが、上記のラベルの属性として属性選択手段により選択され、選択された印刷フォームに基づいて、品位設定手段により印刷品位が設定される。これにより、使用するラベルの印刷フォームに基づいて印刷品位が自動的に設定されるため、テープ印刷装置の操作性を更に向上することができる。なお、印刷フォームとは、用途等に応じて設定されたレイアウト（行数、文字サイズ、書体、装飾種類等）である。
【００１２】
上記のテープ印刷装置において、上記のラベルの属性が、印刷テープの種別であることが好ましい。
【００１３】
この構成によれば、印刷テープの種別が、上記のラベルの属性として属性選択手段により選択され、選択された種別に基づいて、品位設定手段により印刷品位が設定される。これにより、使用する印刷テープの種別に基づいて印刷品位が自動的に設定されるため、テープ印刷装置の操作性を更に向上することができる。
【００１４】
本発明のテープ印刷装置は、入力した印刷データに基づいて、印刷テープに印刷を行ってラベルを作成するテープ印刷装置において、印刷テープの種別を検出する種別検出手段と、検出した種別情報に基づいて、複数種の印刷品位から１の印刷品位を選択設定する品位設定手段と、を備えたことを特徴とする。
【００１５】
本発明のテープ印刷装置の制御方法は、入力した印刷データに基づいて、印刷テープに印刷を行ってラベルを作成するテープ印刷装置の制御方法において、印刷テープの種別を検出する種別検出工程と、検出した種別情報に基づいて、複数種の印刷品位から１の印刷品位を設定する品位設定工程と、を備えたことを特徴とする。
【００１６】
これらの構成によれば、種別検出手段（種別検出工程）にて自動的に検出された種別情報に基づいて、品位設定手段（品位設定工程）にて印刷品位が選択設定されることにより、ユーザが自ら印刷テープの種別を選択する必要がなく、テープ印刷装置の操作性を更に向上することができる。
【００１７】
上記のテープ印刷装置において、ラベルにおける、印刷データのレイアウトを設定するためのレイアウト設定手段と、設定したレイアウトおよび品位設定手段により設定された印刷品位に基づいて、印刷データの複数種の展開方法から１の展開方法を選択設定する展開方法設定手段と、を更に備えることが好ましい。
【００１８】
上記のテープ印刷装置の制御方法において、ラベルにおける、印刷データのレイアウトを設定するためのレイアウト設定工程と、設定したレイアウトおよび品位設定手段により設定された印刷品位に基づいて、印刷データの複数種の展開方法から１の展開方法を選択設定する展開方法設定工程と、を更に備えることが好ましい。
【００１９】
これらの構成によれば、レイアウト設定手段（レイアウト設定工程）によるレイアウトの設定および印刷品位に基づいて、展開方法設定手段（展開方法設定工程）により印刷データの展開方法が設定されることにより、テープ印刷装置の操作性を更に向上させることができる。なお、レイアウトとは、行数、文字サイズ、書体、装飾種類等である。
【００２０】
上記のテープ印刷装置において、品位設定手段は、自動設定と手動設定との間で切替え可能に構成されていることが好ましい。
【００２１】
この構成によれば、ユーザ自身により、印刷品位の設定を、自動と手動とで切り替えることができる。これにより、自動、手動の設定をユーザの所望の設定にすることができるため、テープ印刷装置の操作性を更に向上することができる。
【発明を実施するための最良の形態】
【００２２】
以下、添付の図面を参照して、本発明の一実施形態に係るテープ印刷装置について説明する。このテープ印刷装置は、印刷データを作成し、その印刷データを印刷テープに印刷することにより、ラベルを作成するものである。
【００２３】
図１および図２に示すように、テープ印刷装置１は、印刷テープＴに対して印刷処理を行う装置本体１１と、印刷テープＴおよびインクリボンＲを収容し、装置本体１１に着脱自在に装着されるテープカートリッジＣとを備えている。
【００２４】
装置本体１１は、装置ケース１２により外殻が形成され、装置ケース１２の前半部上面には、文字等を入力するための各種入力キー１３と、機能メニューの設定を行うための機能メニュー設定キー１４と、機能メニュー設定キー１４による設定等を確定する確定キー１５と、を備えたキーボード１７が配設されている。
【００２５】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２６】
蓋体開放ボタン２３を押して開閉蓋２１を開放すると、その内部には、テープカートリッジＣが装着されるカートリッジ装着部３１が窪入形成されており、カートリッジ装着部３１には、テープカートリッジＣから繰り出される印刷テープＴに印刷処理を行う印刷ヘッド４１が配設されている（図２参照）。
【００２７】
装置ケース１２の左側部には、カートリッジ装着部３１と装置外部とを連通するテープ排出口３２が形成され、このテープ排出口３２に臨んで装置ケース１２には、印刷テープＴを切断するためのカッタユニット３３が内蔵されている。また、図１および図２では省略したが、装置ケース１２の内部には、装置本体１１を統括制御する制御部６３（図３参照）を構成する回路基板が搭載されている。
【００２８】
カートリッジ装着部３１には、発熱素子を有しヘッドカバー４０に覆われた印刷ヘッド４１と、後述するテープリール５１の位置決めをする位置決め突起４２と、テープカートリッジＣの印刷テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５０の裏面に形成された複数の被検出孔に対応してテープ識別センサ（図示省略）が設けられている。また、カートリッジ装着部３１には、プラテン駆動軸４３および巻取り駆動軸４４を駆動する印刷送りモータ４６（図３参照）や減速ギヤ列等（図示省略）が内蔵されている。
【００２９】
テープカートリッジＣは、カートリッジケース５０の内部に、印刷テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、印刷テープＴとインクリボンＲとが重なる部分に対応し、上記プラテン駆動軸４３に嵌合して回転駆動するプラテンローラ５５が配置されている。
【００３０】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、印刷テープＴおよびインクリボンＲを挟み込んでプラテンローラ５５に当接し、印刷待機状態となる。そして、印刷データ生成手段７５（図４参照）で生成された印刷データに基づき、プラテン駆動軸４３および巻取り駆動軸４４が同期回転して、印刷テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の印刷テープＴは、印刷済み部分がフルカッタ３４により切断され、切断された印刷テープＴがラベルとしてテープ排出口３２から外部に排出される。
【００３１】
印刷テープＴは、テープ種別（テープ幅、テープ色、インクリボン色、テープ材質）が異なる複数種のものが用意されており、裏面に粘着剤層が塗着された記録テープＴ１と、この粘着剤層により記録テープＴ１に貼付された剥離テープＴ２とから構成されている。そして、印刷テープＴは、記録テープＴ１を外側にし、かつ剥離テープＴ２を内側にしてロール状に巻回されてカートリッジケース５０に収容されている。カートリッジケース５０の裏面には、小さな複数の被検出孔（図示省略）が形成され、上記のテープ識別センサによってこの複数の被検出孔が検出されることにより、印刷テープＴの種別を識別できるようになっている。なお、印刷テープＴの種別として、特殊なテープ材質の特殊テープである熱接着テープ、転写テープおよび熱収縮テープ等が含まれている。
【００３２】
次に、図３を参照し、テープ印刷装置１の制御系について説明する。テープ印刷装置１は、キーボード１７上の各種キーからのデータ入力や、印刷データ等のディスプレイ２４への表示など、ユーザインタフェースとして機能する操作部６１と、印刷テープＴに印刷を行う印刷部（印刷手段）６２と、テープ印刷装置１の各部に接続され、テープ印刷装置１全体を制御する制御部６３と、を有している。
【００３３】
印刷部６２は、後述する印刷データ生成手段７５（図４参照）が生成した印刷データに基づいて印刷ヘッド４１により印刷テープＴに印刷処理を行い、フルカッタモータ３５によりフルカッタ３４を駆動し印刷済みの印刷テープＴを切断して、ラベルを作成する。
【００３４】
制御部６３は、ＣＰＵ（Central Processing Unit）６４と、ＣＰＵ６４で各種制御処理を行うための制御プログラムを有するＲＯＭ（Read Only Memory）６５と、各種制御処理の作業領域となるＲＡＭ（Random Access Memory）６６と、テープ印刷装置１の各部と入力データや制御信号の入出力を行う入出力制御装置（ＩＯＣ：Input Output Controller）６７と、を備え、これらは互いに内部バスにより接続されている。ここで、ＲＯＭ６５内には、設定値によってテープ長に影響を及ぼす複数の機能メニューの設定処理を行うための制御プログラムが記憶されている。そして、ＣＰＵ６４は、ＲＯＭ６５内の制御プログラムに従って、ＩＯＣ６７を介してテープ印刷装置１の各部から各種信号・データを入力する。また、ＣＰＵ６４は、入力した各種信号・データに基づいて、ＲＡＭ６６内の各種データを処理し、ＩＯＣ６７を介してテープ印刷装置１の各部に各種信号・データを出力し、印刷処理の制御を行う。
【００３５】
ここで、図４の機能ブロック図を参照して、テープ印刷装置１の制御部６３の機能をさらに説明する。テープ印刷装置１は、図４に示すように、フォーム選択手段７０と、種別検出手段７１と、属性記憶手段７２と、品位設定手段７３と、展開方法設定手段７４と、印刷データ生成手段７５と、印刷手段６２と、を備えている。
【００３６】
フォーム選択手段７０は、図５に示すような選択画面により、ラベルに印刷する印刷フォームを選択するものである。印刷フォームは、用途等に対応したレイアウト（行数、文字サイズ、書体、装飾種類等）であり、ユーザは使用用途に合わせて印刷フォームを選択する。この選択された印刷フォーム情報（用途およびそれに対応したレイアウト）は、属性記憶手段７２に記憶され、印刷データ生成手段７５は、この印刷フォーム情報に基づいて印刷データを作成する。なお、この印刷フォーム情報（用途）を基に、品位設定手段７３による印刷品位の自動設定が行われる（詳細は後述する）。
【００３７】
種別検出手段７１は、上記したテープ識別センサにより、印刷テープＴの種別（テープ幅や特殊テープ）を検出するものである。検出された種別情報は、属性記憶手段７２に記憶され、印刷データ生成手段７５により用いられることになる。
【００３８】
属性記憶手段７２は、ラベルの属性情報として、種別検出手段７１により検出された印刷テープＴの種別情報、フォーム選択手段７０により選択された印刷フォーム情報である用途およびレイアウト情報（行数、文字サイズ、書体、装飾種類等）と、品位設定手段７３により設定された印刷品位を記憶するものである。この属性情報に基づいて、印刷データ生成手段７５による印刷データの生成が行われる。
【００３９】
品位設定手段７３は、ラベルに印刷する文字の解像度に反映されるラベルの印刷品位を、「粗い」「標準」「精細」の間で設定するものである。この品位設定は、ユーザ自身が印刷品位の設定を行う「手動設定」と、自動的に印刷品位の設定を行う「自動設定」のどちらかの一方によって行なわれる。図６（ａ）に示すような選択画面により、ユーザが「手動設定」と「自動設定」の一方を選択すると、この選択設定に基づいて「手動設定」もしくは「自動設定」により印刷品位の設定が行なわれる。このように、自動、手動設定をユーザの所望の設定にすることができることにより、テープ印刷装置１の操作性を更に向上することができる。「手動設定」では、図６（ｂ）に示すような選択画面を表示し、ユーザ自身にて「粗い」「標準」「精細」の中から１の品位を選択して印刷品位を設定する。
【００４０】
「自動設定」では、属性記憶手段７２に記憶された印刷フォームの用途に基づいて、自動的に印刷品位を設定する。図７に示すように、用途が、人名を表示する「なまえ」、ファイル名を表示する「ファイル」の場合には印刷品位を「精細」とする。用途が、不特定多数の者に対して表示する「公共表示」の場合には印刷品位を「標準」とする。用途が、番号を表示する「付番」の場合には印刷品位を「粗い」とする。このようにラベルの属性に基づいて、印刷品位が自動的に設定されることにより、ユーザが自ら印刷品位の設定を行う必要がなく、テープ印刷装置１の操作性を向上することができるため、ユーザの負担を軽減することができる。また、ラベルの属性が、ラベルの印刷フォーム（用途）であることにより、ラベルの印刷フォーム（用途）に基づいて、印刷品位が自動的に設定されるため、テープ印刷装置１の操作性を更に向上することができる。なお、ここで示した印刷フォームに対する印刷品位の設定は、一部を示したものに過ぎず、実際には、より多くの印刷フォームおよび用途に対し、印刷品位が設定されるようになっている。
【００４１】
展開方法設定手段７４は、属性記憶手段７２に記憶されたレイアウト情報および印刷品位に基づいて、印刷データの展開方法を自動的に選択設定するものである。展開方法としては、「アウトライン方式」、「アウトライン方式およびヒント処理」、「ビットマップ方式」、「ビットマップ方式および平滑化処理」がある。図８に示すように、印刷品位が「粗い」である場合には「ビットマップ方式」が選択される。印刷品位が「標準」で行数が３行以上の場合には、「ビットマップ方式および平滑化処理」が選択される。印刷品位が「標準」で行数が２行以下で且つ装飾有りの場合、および印刷品位が「精細」で行数が３行以上で且つ装飾有りの場合には、「アウトライン方式」が選択される。印刷品位が「標準」で行数が２行以下で且つ装飾無しの場合、印刷品位が「精細」で行数が３行以上で且つ装飾無しの場合、および印刷品位が「精細」で行数が２行以下ある場合には、「アウトライン方式およびヒント処理」が選択される。
【００４２】
このように、展開方法設定手段７４により、レイアウト情報および印刷品位に基づいて、印刷データの展開方法を自動的に設定されることにより、テープ印刷装置１の操作性を更に向上させることができる。
【００４３】
印刷データ生成手段７５は、属性記憶手段７２に記憶された印刷テープＴの種別情報、レイアウト情報、印刷品位および展開方法情報から印刷データを生成するものである。印刷手段６２は、印刷データ生成手段７５により生成された印刷データに基づいて、印刷テープＴに印刷を行うものである。
【００４４】
なお、フォーム選択手段７０、種別検出手段７１、属性記憶手段７２、品位設定手段７３、展開方法設定手段７４および印刷データ生成手段７５は、ＣＰＵ６４がＲＯＭ６５内の制御プログラムに従って各種データを演算し、さらに操作部６１およびＩＯＣ６７と協働して各種処理を実行することにより実現されるものである。
【００４５】
次に、図９を参照して、テープ印刷装置１の印刷データ生成動作について説明する。なお、本動作は、予め種別検出手段７１（テープ検出センサ）によりセットされた印刷テープＴ（テープカートリッジＣ）の種別が検出されていると共に、品位設定手段７３により、品位設定が「自動設定」と選択設定されているものとする。
【００４６】
まず、ユーザは、機能メニュー設定キー１４を押下して、対象機能メニューとして印刷フォームを選択し、印刷フォームの設定を行う（Ｓ１）。印刷フォームの設定は、ディスプレイ２４に表示された選択画面（図５参照）により行われる。ユーザが表示された印刷フォーム（用途）の中から１つを選択する（選択して確定キー１５を押下）と、その印刷フォームが設定される。これにより、印刷フォームである用途およびレイアウトが設定されることになる。
【００４７】
次に、品位設定手段７３により、印刷品位が用途に基づいて自動的に設定される（Ｓ２）。例えば、印刷フォームの設定で「なまえ」→「氏名」が選択された場合、印刷品位として「精細」と設定される（図７参照）。なお、品位設定が「手動設定」と選択設定されている場合には、ここで上記した品位設定の選択画面（図６（ｂ）参照）が表示され、ユーザによる印刷品位の設定が行われることになる。
【００４８】
その後、設定されたレイアウトおよび印刷品位に基づいて、展開方法の設定が行われる（Ｓ３）。例えば、印刷品位が「精細」で、レイアウトの行数が２行以下である場合には、展開方法として「アウトライン方式およびヒント処理」と設定される（図８参照）。
【００４９】
これらの設定が終了すると、ユーザによる印刷文字列の作成が行われる（Ｓ４）。印刷文字列の作成は、ディスプレイ２４に表示された編集画面を見ながらキーボード１７を操作して行う。そして、ユーザが作成した印刷文字列、並びに属性記憶手段７２に記憶された印刷テープＴの種別、印刷フォーム（レイアウト）、印刷品位および展開方法から、印刷データが作成される（Ｓ５）。
【００５０】
次に、本発明の第２実施形態に係るテープ印刷装置１について、特に異なる部分を主に説明する。この実施形態において、品位設定手段７３は、種別検出手段７１により検出された印刷テープＴの種別（テープ幅および特殊テープ）に基づいて、印刷品位設定を行う。図１０に示すように、印刷テープＴの種別が、テープ幅が１２〜３６ｍｍの４種類の通常テープの場合には、印刷品位を「標準」とする。テープ幅が４〜９ｍｍの３種類の通常テープの場合、および転写テープの場合には、印刷品位を「精細」とする。このように、ラベルの属性が、印刷テープＴの種別であることにより、使用する印刷テープＴの種別に基づいて、印刷品位が自動的に設定されるため、テープ印刷装置１の操作性を更に向上することができる。なお、これに伴い、印刷品位の自動設定の工程（図９のＳ２）では、印刷テープＴの種別に基づいて印刷品位の設定を行う。また、印刷フォームによる品位設定と同様、ここで示した印刷テープＴの種別に対する印刷品位の設定は、一部を示したものに過ぎず、実際には、より多くの印刷テープＴの種別に対し、印刷品位が設定されるようになっている。
【００５１】
なお、本実施形態においては、種別検出手段７１により印刷テープＴの種別を自動的に検出し、その検出結果に基づいて印刷品位の設定を行っているが、印刷テープＴの種別を、ユーザがマニュアル操作にて選択する種別選択手段を更に備え、これにより選択した種別に基づいて印刷品位を設定するようにしてもよい。かかる場合、選択した種別と、種別検出手段７１により検出された種別とが一致していないときには、警報を発するように構成することが好ましい。
【００５２】
また、請求項にいう属性選択手段は、第１実施形態におけるフォーム選択手段７０にて構成されていると共に、第２実施形態の変形例における種別選択手段にて構成されている。さらに、請求項にいうレイアウト設定手段は、フォーム選択手段７０にて構成されている。
【００５３】
以上のような構成によれば、ラベルの属性に基づいて、印刷品位が自動的に選択設定されることにより、ユーザが自ら印刷品位の設定を行う必要がなく、テープ印刷装置１の操作性を向上することができるため、ユーザの負担を軽減することができる。
【図面の簡単な説明】
【００５４】
【図１】本発明の実施形態に係るテープ印刷装置の閉蓋状態における外観斜視図である。
【図２】本実施形態に係るテープ印刷装置の開蓋状態における外観斜視図である。
【図３】本実施形態に係るテープ印刷装置の制御ブロック図である。
【図４】本実施形態に係るテープ印刷装置の機能ブロック図である。
【図５】印刷フォームの選択画面を示した図である。
【図６】手動／自動設定の選択を行うための選択画面および手動設定における印刷品位の選択画面を示した図である。
【図７】印刷フォームと印刷品位との対応関係を示した図である。
【図８】レイアウトおよび印刷品位と、展開方法との対応関係を示した図である。
【図９】本実施形態に係るテープ印刷装置の印刷データ生成動作を説明するためのフローチャートである。
【図１０】第２実施形態に係る印刷テープの種別と印刷品位との対応関係を示した図である。
【符号の説明】
【００５５】
１：テープ印刷装置、  ７０：フォーム選択手段、  ７１：種別検出手段、  ７３：品位設定手段、  ７４：展開方法設定手段、  Ｔ：印刷テープ
【図１】
2008272951.tif 000003
【図２】
2008272951.tif 000004
【図３】
2008272951.tif 000005
【図４】
2008272951.tif 000006
【図５】
2008272951.tif 000007
【図６】
2008272951.tif 000008
【図７】
2008272951.tif 000009
【図８】
2008272951.tif 000010
【図９】
2008272951.tif 000011
【図１０】
2008272951.tif 000012